(57)【要約】  【課題】  携帯端末の内蔵ディスプレイと共に、携帯端末に接続された外部表示装置にも画像を表示する場合に、画質を低下させずに外部表示装置に画像を表示することのできる携帯端末を提供すること。  【解決手段】  携帯端末は、外部表示装置を接続するための外部出力用インターフェースを備え、当該外部出力用インターフェースに外部表示装置が接続された場合に、内蔵するディスプレイに表示するための第１の画像データとは異なり、外部表示装置の解像度に合わせた第２の画像データとを生成し、前記第１の画像データと前記第２の画像データとをまとめた出力データを出力部に出力し、当該出力データから得られる、第１の画像データを内蔵するディスプレイに出力し、第２の画像データを、前記外部出力用インターフェースを介して前記外部表示装置に出力する。【選択図】図２
2015226220.tif 000002
【特許請求の範囲】
【請求項１】
画面表示のための画像データを生成する生成部と自端末の制御を行う制御部とを含むチップセットにより制御される携帯端末であって、
表示部と、
外部表示装置を接続するための外部出力用インターフェースと、
前記生成部が生成した画像データを出力する出力部とを備え、
前記制御部は、前記外部出力用インターフェースに外部表示装置が接続された場合に、前記表示部に表示するための第１の画像データとは異なる、当該外部表示装置の解像度に合わせた第２の画像データを前記生成部に生成させ、
前記生成部は、前記第１の画像データと前記第２の画像データとをまとめた出力データを前記出力部に出力し、
前記出力部は、前記出力データから第１の画像データと第２の画像データとを取得し、当該第１の画像データを前記表示部に出力し、当該第２の画像データを、前記外部出力用インターフェースを介して前記外部表示装置に出力する
ことを特徴とする携帯端末。
【請求項２】
更に、前記外部出力用インターフェースに前記外部表示装置が接続されたか否かを検知する検知部と、
前記外部出力用インターフェースに接続された外部表示装置の解像度の情報を取得する取得部とを備え、
前記生成部は、前記取得部が取得した前記解像度の情報に基づいて、前記第２の画像データを生成する
ことを特徴とする請求項１記載の携帯端末。
【請求項３】
前記生成部は、前記前記第１の画像データと前記第２の画像データとをデータ圧縮することによって、前記出力データを生成し、
前記出力部は、当該出力データを伸長して、第１の画像データと第２の画像データとを取得する
ことを特徴とする請求項２記載の携帯端末。
【請求項４】
前記生成部は、前記第１の画像データと前記第２の画像データとの差分データを算出し、前記第１の画像データと前記第２の画像データとを圧縮した出力データの代わりに前記第１の画像データと前記差分データとを圧縮した差分圧縮データを生成し、
前記出力部は、前記差分圧縮データを伸長して得られた第１の画像データと差分データとを用いて、第２の画像データを生成し、当該第２の画像データを、前記外部出力用インターフェースを介して前記外部表示装置に出力する
ことを特徴とする請求項３記載の携帯端末。
【請求項５】
更に、前記表示部と前記外部表示装置との両方に表示するか否かを示す指示を受け付ける受付部を備え、
前記指示が否定的である場合には、前記検知部が肯定的な検知をした場合であっても例外的に前記第２の画像データを生成しない
ことを特徴とする請求項２記載の携帯端末。
【請求項６】
前記生成部は、前記第１の画像データと前記第２の画像データとは、それぞれ異なる表示物を含む画像データを生成する
ことを特徴とする請求項２記載の携帯端末。
【請求項７】
画面表示のための画像データを生成する生成部と自端末の制御を行う制御部とを含むチップセットにより制御される携帯端末で用いられる画面出力方法であって、
前記携帯端末は、表示部と、
外部表示装置を接続するための外部出力用インターフェースと、
前記生成部が生成した画像データを出力する出力部とを備え、
前記外部出力用インターフェースに外部表示装置が接続された場合に、前記表示部に表示するための第１の画像データとは異なる、当該外部表示装置の解像度に合わせた第２の画像データを前記生成部に生成させる指示を前記制御部に行わせ、
前記生成部に、前記第１の画像データと前記第２の画像データとをまとめた出力データを前記出力部に出力させ、
前記出力部に、前記出力データから第１の画像データと第２の画像データとを取得させ、当該第１の画像データを前記表示部に出力させ、当該第２の画像データを、前記外部出力用インターフェースを介して前記外部表示装置に出力させる
ことを特徴とする画面出力方法。
【請求項８】
画面表示のための画像データを生成する生成部と自端末の制御を行う制御部とを含むチップセットにより制御される携帯端末で実行される制御プログラムであって、
前記携帯端末は、
表示部と、
外部表示装置を接続するための外部出力用インターフェースと、
前記生成部が生成した画像データを出力する出力部とを備え、
前記外部出力用インターフェースに外部表示装置が接続された場合に、前記表示部に表示するための第１の画像データとは異なる、当該外部表示装置の解像度に合わせた第２の画像データを前記生成部に生成させる制御ステップを前記制御部に実行させ、
前記生成部に、前記第１の画像データと前記第２の画像データとをまとめた出力データを前記出力部に出力させる出力ステップを実行させ、
前記出力部に、前記出力データから第１の画像データと第２の画像データとを取得させ、当該第１の画像データを前記表示部に出力させ、当該第２の画像データを、前記外部出力用インターフェースを介して前記外部表示装置に出力させる出力ステップを実行させる
ことを特徴とする制御プログラム。
【請求項９】
画面表示のための画像データを生成する生成部と自端末の制御を行う制御部とを含むチップセットにより制御される携帯端末で実行される制御プログラムを記録しているコンピュータ読取可能な記録媒体であって、
前記携帯端末は、
表示部と、
外部表示装置を接続するための外部出力用インターフェースと、
前記生成部が生成した画像データを出力する出力部とを備え、
前記制御プログラムは、
前記外部出力用インターフェースに外部表示装置が接続された場合に、前記表示部に表示するための第１の画像データとは異なる、当該外部表示装置の解像度に合わせた第２の画像データを前記生成部に生成させる制御を、前記制御部に実行させる制御ステップと、
前記生成部に、前記第１の画像データと前記第２の画像データとをまとめた出力データを前記出力部へ出力させる出力ステップと、
前記出力部に、前記出力データから第１の画像データと第２の画像データとを取得させ、当該第１の画像データを前記表示部に出力させ、当該第２の画像データを、前記外部出力用インターフェースを介して前記外部表示装置に出力させる出力ステップとを含む
ことを特徴とする記録媒体。
【発明の詳細な説明】
【技術分野】
【０００１】
本発明は、携帯端末の出力する画面の表示に関し、特に、異なる表示装置に同時に画面表示する際の画像出力技術に関する。
【背景技術】
【０００２】
携帯端末の内蔵ディスプレイだけでなく、液晶ディスプレイ等の外部表示装置を接続して、当該外部表示装置に画像等を表示する機能を備えた携帯端末がある。
内蔵ディスプレイと外部表示装置との両方に同時に表示する場合、一手法として、内蔵ディスプレイに表示するための画像データを、外部ディスプレイの解像度に合わせた画像データに加工してから外部表示装置に出力することが行われている（特許文献１）。
【先行技術文献】
【特許文献】
【０００３】
【特許文献１】特開２００７−８８９３３号公報
【発明の概要】
【発明が解決しようとする課題】
【０００４】
携帯端末に接続される外部表示装置には、様々な解像度のものがあり、携帯端末の内蔵ディスプレイよりも解像度が高いものも少なくない。
携帯端末の内蔵ディスプレイと共に、内蔵ディスプレイの解像度と異なる解像度の外部表示装置に画像を表示する場合には、内蔵ディスプレイ表示用の解像度の画像を、外部ディスプレイの解像度に合わせるためにスケール変換した画像を生成して出力する。
【０００５】
このため、外部表示装置に出力する画像が粗くなったり、潰れたりして、画質が低下するという問題がある。
本発明は、係る問題に鑑みてなされたものであり、携帯端末の内蔵ディスプレイと共に、内蔵ディスプレイの解像度と異なる解像度の外部表示装置にも画像を表示する場合に、画質を低下させずに外部表示装置に表示することのできる携帯端末を提供することを目的とする。
【課題を解決するための手段】
【０００６】
上記課題を解決するために、本発明に係る携帯端末は、画面表示のための画像データを生成する生成部と自端末の制御を行う制御部とを含むチップセットにより制御される携帯端末であって、表示部と、外部表示装置を接続するための外部出力用インターフェースと、前記生成部が生成した画像データを出力する出力部とを備え、前記制御部は、前記外部出力用インターフェースに外部表示装置が接続された場合に、前記表示部に表示するための第１の画像データとは異なる、当該外部表示装置の解像度に合わせた第２の画像データを前記生成部に生成させ、前記生成部は、前記第１の画像データと前記第２の画像データとをまとめた出力データを前記出力部に出力し、前記出力部は、前記出力データから第１の画像データと第２の画像データとを取得し、当該第１の画像データを前記表示部に出力し、当該第２の画像データを前記外部出力用インターフェースを介して前記外部表示装置に出力することを特徴とする。
【発明の効果】
【０００７】
上述の構成の携帯端末によると、内部ディスプレイの表示に適した画像データと、外部表示装置の表示に適した画像データとを生成して、それぞれに出力して表示することができる。
従って、携帯端末の内蔵ディスプレイと共に、内蔵ディスプレイの解像度と異なる解像度の外部表示装置にも画像を表示する場合に、画質を低下させずに画像を表示することができる。
【図面の簡単な説明】
【０００８】
【図１】本発明に係る携帯端末１０の外観の概略図。
【図２】携帯端末１０の主要部の機能ブロック図。
【図３】実施の形態１に係る携帯端末１０の処理のフローチャート。
【図４】使用態様の一例。
【図５】出力設定のためのＵＩ（ユーザインターフェース）の一例。
【図６】実施の形態２に係る携帯端末１０の処理のフローチャート。
【発明を実施するための形態】
【０００９】
＜１．実施の形態１＞
＜１．１  概要＞
本発明に係る携帯端末１０の一実施形態について説明する。
図１は、携帯端末１０の外観の概略図である。
携帯端末１０は、いわゆるスマートフォン型携帯通信端末である。
【００１０】
携帯端末１０は、レシーバ孔２４０、マイク孔２５０、コネクタ２１０、電極群２３０、ケーブル接続孔２２０、及びディスプレイ３００を含む構成である。
同図に示すように、携帯端末１０は、その筐体の主表面に、レシーバ（不図示）から出力される音声を筐体外部に伝えるためのレシーバ孔２４０と、筐体外部の音声をマイク（不図示）に伝えるためのマイク孔２５０とが形成され、更に、ディスプレイ３００の主表面が配置されている。また、筐体の側面には、外部表示装置との接続に用いる接続ケーブル４００を接続するためのコネクタ２１０を備えている。
【００１１】
また、コネクタ２１０は、接続ケーブル４００の接続部を挿入するためのケーブル接続孔２２０と、接続ケーブル４００が挿入された場合に、接続ケーブル４００の電極と電気的に接続する電極群２３０とを有する。
ユーザは、外部表示装置（例えば、液晶ディスプレイ）にも、携帯端末１０からの画像を表示しようとする場合には、コネクタ２１０のケーブル接続孔２２０に、外部表示装置と接続するための接続ケーブル４００（例えば、MHL（Mobile High-definition Link）接続用のケーブル）を接続する。なお、以下、説明の便宜上、携帯端末に内蔵されているディスプレイと外部表示装置との総称として、単に「ディスプレイ」の語を用いる場合がある。
【００１２】
接続ケーブル４００が接続されると、外部表示装置は、接続ケーブル４００を介して携帯端末１０から画像の出力を受け、画像を表示する。
近年、携帯端末は多機能化しており、音声通話機能、通信機能、アプリケーション実行機能、画面表示機能、位置情報機能等を限られた筐体の大きさで実現するために、これらの機能をまとめて実現できるチップセットが一般的によく用いられている。具体的には、チップセットとは、例えば、これら機能を実現するために、モデム、DSP（Digital Signal Processor）、GPU（Graphics Processing Unit）、CPU（Central Processing Unit）等を１チップのLSI（Large Scale Integration）で実現したものである。
【００１３】
ところで、携帯端末において、内蔵のディスプレイと外部表示装置との両方に画像を表示するためには、画像出力用のI/F（インターフェース）を２系統持つ必要がある。
しかし、携帯端末用のチップセットの多くは、画像出力用のI/F（インターフェース）を１系統しか持たない。
このため、チップセットからの画像データの出力を受け、２系統に分岐して出力するためのグラフィックIC（Integrated Circuit）を用いて、内蔵のディスプレイと外部表示装置とに、同時に画像を表示することを実現している。
【００１４】
従来、このようなグラフィックICは、内部ディスプレイ用にチップセットが出力した画像データから、外部表示装置の解像度に合わせてスケール変換をした画像を生成して、外部出力用のI/Fから出力する。
このため、外部表示装置の解像度が、内部ディスプレイの解像度より高い場合には、画像が粗くなり、また、逆の場合には、画像がつぶれるおそれがあり、携帯端末は、外部表示装置に高画質な画像を出力し得ないおそれがあるという問題があった。
【００１５】
本実施の形態に係る携帯端末１０では、チップセットは、外部表示装置が接続ケーブル４００で接続されると、ディスプレイ３００の解像度に合わせた画像データと、外部表示装置の解像度に合わせた画像データの両方の画像データを生成し、両画像データをまとめて圧縮したデータを画像出力用のI/Fを介して、グラフィックICに出力する。
グラフィックICは、受け取った圧縮データを伸長して得られる、ディスプレイ３００の解像度に合わせた画像データを内部ディスプレイ用のI/Fを介してディスプレイ３００に出力し、外部表示装置の解像度に合わせた画像データを外部出力用のI/Fを介して外部表示装置に出力する。
【００１６】
従って、本実施の形態の携帯端末１０では、ディスプレイ３００と共に、外部表示装置にも画像を表示する場合に、画質を低下させずに外部表示装置に表示することができる。
＜１．２  構成＞
図２は、携帯端末１０の主要部の機能ブロック図である。
同図に示すように、携帯端末１０は、制御部１０１、記憶部１０２、生成部１０３、出力部１０４、表示部１０５、外部出力用インターフェース１０６、検知部１０７、送受信部１０８、通信部１０９、アンテナ１１０、音声処理部１１１、操作部１１２、及び電源部１１３を含む構成である。
【００１７】
なお、本実施の形態の携帯端末１０では、制御部１０１、生成部１０３、送受信部１０８、通信部１０９、音声処理部１１１の各機能は、１つのチップセット１００によって実現されているものとする。
以下、携帯端末１０を構成するこれら構成要素について説明する。
（制御部１０１、記憶部１０２）
制御部１０１は、記憶部１０２、生成部１０３、出力部１０４、表示部１０５、外部出力用インターフェース１０６、検知部１０７、送受信部１０８、通信部１０９、音声処理部１１１、操作部１１２、及び電源部１１３を制御して、携帯端末１０に、主として、携帯端末制御機能、出力画像生成機能、画面出力制御機能を実現させる機能を有する。
【００１８】
携帯端末制御機能は、従来の携帯端末が有する一般的な機能と同等な機能、例えば、無線通信機能、通話機能、インターネットサイト閲覧機能、メール送受信機能、待ち受け機能、ユーザインターフェース制御機能、アプリケーション実行機能等を実現させる機能である。
出力画像生成機能は、生成部１０３を制御して、ディスプレイ３００に表示するための画像データ、及び、外部表示装置５００に表示するための画像データを生成部１０３に生成させる機能である。なお、以下説明の都合上、ディスプレイ３００に表示するための画像データを第１画像データ、外部表示装置５００に表示するための画像データを第２画像データと呼ぶ。第１画像データは、携帯端末１０のディスプレイ３００の解像度に合わせて生成された画像データであり、第２画像データは、外部表示装置５００の解像度に合わせて生成された画像データである。
【００１９】
なお、携帯端末１０のディスプレイ３００の解像度は、携帯端末１０の製造時に予め指定されていてもよい。
具体的には、制御部１０１は、検知部１０７が、コネクタ２１０に、外部表示装置５００と接続した接続ケーブル４００が接続されていない場合には、第１画像データを生成部１０３に生成させる。そして、コネクタ２１０に接続ケーブル４００が接続されることによって、外部表示装置５００と接続され、外部表示装置５００への表示をし得る状態であることを検知すると、第１画像データと第２画像データとを生成部１０３生成させ、両画像データをまとめて圧縮した圧縮データを生成させる。
【００２０】
画面出力制御機能は、出力部１０４を制御して、外部表示装置５００が接続されていない場合には、生成部１０３が生成した第１画像データを表示部１０５に表示させ、外部表示装置５００が接続されている場合には、圧縮データを展開して得られる、第１画像データを表示部１０５に出力させ、第２画像データを、外部出力用インターフェース１０６を介して外部表示装置５００に出力させる機能である。
【００２１】
なお、制御部１０１の機能は、例えば、携帯端末１０のCPUが、記憶部１０２に記憶されているプログラムを実行することで実現される。
記憶部１０２は、例えば、RAM（Random Access Memory）、ROM（Read Only Memory）、フラッシュメモリ等で構成される。記憶部１０２は、制御部１０１の動作を規定するプログラムを記憶する。
（生成部１０３）
生成部１０３は、制御部１０１の制御により、制御部１０１に指定された解像度で、第１画像データ、及び、第２画像データを生成する機能を有する。
【００２２】
具体的には、生成部１０３は、コネクタ２１０に、外部表示装置５００と接続された接続ケーブル４００が接続されていない場合には、第１画像データを生成する。一方、コネクタ２１０に、接続ケーブル４００が接続されている場合には、第１画像データだけではなく、第２画像データを生成し、両画像データをまとめて圧縮した圧縮データを生成する。そして、生成した画像データ又は圧縮データを出力部１０４へ出力する。
（出力部１０４）
出力部１０４は、内部出力用のI/F４０１と外部出力用のI/F４０２とを有する。そして、制御部１０１の制御により、生成部１０３が出力した画像データ、又は、圧縮データを受け、第１画像データを表示部１０５に出力し、第２画像データを外部出力用インターフェース１０６へ出力する機能を有する。
【００２３】
具体的には、出力部１０４は、外部表示装置５００が接続されていない場合には、第１画像データを、内部出力用のI/F４０１を介して表示部１０５に出力する。
一方、外部表示装置５００が接続されている場合には、生成部が出力した圧縮データを伸長して得られる第１画像データを内部出力用のI/F４０１を介して表示部１０５に出力し、第２画像データを外部出力用のI/F４０２を介して外部出力用インターフェース１０６に出力する。
（表示部１０５）
表示部１０５は、例えば、携帯端末１０の主表面に配置されたディスプレイ３００を含む。
【００２４】
表示部１０５は、制御部１０１によって制御され、出力部１０４の内部出力用のI/F４０１から出力された画像データをディスプレイ３００に表示する機能を有する。
（外部出力用インターフェース１０６）
外部出力用インターフェース１０６は、出力部１０４の外部出力用のI/F４０２から出力された画像データを外部表示装置５００に表示するための信号データに変換して、コネクタ２１０に接続された接続ケーブル４００を介して、外部表示装置５００に出力する機能を有する。外部出力用インターフェース１０６は、具体的には、例えばMHLの仕様に準拠した信号データを出力する機能を有する。
（検知部１０７）
検知部１０７は、外部表示装置５００に接続された接続ケーブル４００が、コネクタ２１０に接続され、外部表示装置５００に画像データを表示し得る状態になったか否かを検知する機能を有する。
【００２５】
具体的には、検知部１０７は、例えば、コネクタ２１０に接続ケーブル４００が接続され、外部表示装置５００と電気的に接続されたか否かを検知し、外部表示装置５００から、外部表示装置５００のEDID(Extended Display Identification Data:拡張ディスプレイ識別データ)を取得できた場合に、外部表示装置５００に画像データを表示し得る状態になったと判断する。そして検知部１０７はEDIDを制御部１０１に出力し、制御部１０１は、EDIDに含まれる解像度の情報を生成部１０３に出力する。
【００２６】
生成部１０３は、この解像度の情報に基づいて、外部表示装置５００用の画像データを生成する。
（送受信部１０８、通信部１０９、アンテナ１１０）
送受信部１０８は、他の携帯端末や外部のサーバとの間で、音声データや通信データの送受信を行う機能を有する。
【００２７】
具体的には、送受信部１０８は、音声処理部１１１が処理した音声データや、制御部１０１で実行するアプリケーションが出力した通信データを通信部１０９に出力し、通信部１０９が、アンテナ１１０を介して基地局から受信した音声データや通信データを受け取る機能を有する。
通信部１０９は、通信用LSI（Large Scale Integration）を含み、制御部１０１によって制御される。なお、この通信用LSIは、例えば、いわゆる携帯電話の音声通話を行う機能や、TCP/IPプロトコルでインターネット網を用いて外部のサーバとデータの送受信を行う機能を備える。また、ＬＴＥによる無線通信を基地局と行う機能を備えている。
【００２８】
通信部１０９は、アンテナ１１０を介して基地局と接続して、他の携帯電話や、外部のサーバから送信されたデータを送受信部１０８に出力する機能を有する。
アンテナ１１０は、例えば、金属製のモノポールアンテナであり、通信用LSIに接続され、通信用LSIが行う通信に利用される。
なお、送受信部１０８、通信部１０９の機能は、携帯端末１０が有するCPUが記憶部１０２に記憶するプログラムを実行することによって実現される。
（音声処理部１１１）
音声処理部１１１は、例えば、レシーバとマイクとによって構成される。音声処理部１１１は、制御部１０１によって制御され、携帯端末１０の行う通話における音声の入出力処理を行う機能を有する。
【００２９】
レシーバは、制御部１０１によって制御され、制御部１０１から送られる電気信号を音声に変換して出力する機能を有する。
マイクは、音声を電気信号に変換して、変換した電気信号を制御部１０１へ送る機能を有する。
（操作部１１２）
操作部１１２は、例えば、ディスプレイ３００の表示面に備えられたタッチパッド及び、携帯端末１０に備えられたボタン等である。
【００３０】
操作部１１２は、制御部１０１によって制御され、携帯端末１０を利用するユーザからの接触操作やボタンの押下操作を受け付ける機能を有する。
具体的には、操作部１１２のタッチパッドは、ディスプレイ３００に表示されたアイコン等の表示物に対するユーザからの接触操作を電気信号に変換して出力する機能を有する。また、操作部１１２は、ユーザのボタンの押下操作を電気信号に変換して、ディスプレイ３００に表示されたカーソルを移動させたり、アイコン等の表示物を選択したりする機能を有する。
（電源部１１３）
電源部１１３は、例えば、繰り返し充電して使用される二次電池パックである。
【００３１】
電源部１１３は、制御部１０１の指示により携帯端末１０の各機能部を駆動するための電力を供給する機能を有する。
＜１．４  動作＞
以下、上述の構成の携帯端末１０の動作について図を用いて説明する。
図３は、携帯端末１０の画面表示の際の処理のフローチャートである。
【００３２】
生成部１０３は、内部のディスプレイ３００に表示するための第１画像データを生成する（ステップＳ１０）。
次に、検知部１０７は、コネクタ２１０に接続ケーブル４００が挿入され、外部表示装置５００と電気的に接続されたか否かを検知する（ステップＳ１１）。
外部表示装置５００が接続されていない場合（ステップＳ１１：ＮＯ）には、生成部１０３は、第１画像データを生成する。そして、出力部１０４は、生成部１０３が生成した第１画像データを受け取り、内部出力用のI/F４０１を介して表示部１０５に出力する。表示部１０５は、第１画像データを内蔵ディスプレイであるディスプレイ３００に表示する（ステップＳ１２）。
【００３３】
一方、外部表示装置５００が接続された場合（ステップＳ１１：ＹＥＳ）、検知部１０７は、外部表示装置５００の解像度情報を取得する（ステップＳ１３）。具体的には、検知部１０７は、外部表示装置５００からEDIDを取得し、EDIDに含まれる解像度の情報を制御部１０１に出力する。
制御部１０１は、第１画像データの生成と、EDIDから得られた解像度に合わせた第２画像データの生成を生成部１０３に指示する。
【００３４】
生成部１０３は、制御部１０１からの指示を受け、第１画像データと第２画像データとを生成する（ステップＳ１４）。
なお、生成部１０３は、表示部１０５や外部表示装置５００での画面表示のリフレッシュ間隔が、例えば、1/30秒間隔である場合には、1/60秒ごとに第１画像データと第２画像データとを生成する。
【００３５】
次に、生成部１０３は、生成した第１画像データと第２画像データとをまとめて圧縮した圧縮データを生成する（ステップＳ１５）。
生成部１０３は、生成した圧縮データを出力部１０４に出力する（ステップＳ１６）。
出力部１０４は、生成部１０３から受け取った圧縮データを伸長し、第１画像データと第２画像データとを、出力部１０４が有するグラフィックメモリに一時的に蓄積する（ステップＳ１７）。
【００３６】
出力部１０４は、グラフィックメモリに蓄積された第１画像データを内部出力用のI/F４０１を介して表示部１０５に出力する（ステップＳ１８）。そして、表示部１０５は、受け取った第１画像データをディスプレイ３００に表示する。
更に出力部１０４は、グラフィックメモリに蓄積された第２画像データを外部出力用のI/F４０２を介して外部出力用インターフェース１０６に出力する（ステップＳ１９）。
【００３７】
外部出力用インターフェース１０６は、受け取った第２画像データを外部表示装置５００に表示するための信号データ（例えば、MHLに準拠したデータフォーマット）に変換して、接続ケーブル４００を介して外部表示装置５００に出力する。
＜１．５  考察＞
図４は、本実施の形態の携帯端末１０の使用態様の一例を示す。
【００３８】
外部表示装置５００は、接続ケーブル４００を用いて、携帯端末１０と接続されている。
そして、携帯端末１０では、例えば、動画再生プレイヤーとしてのアプリケーションプログラムが実行されており、ユーザの指定した動画コンテンツが再生され、ディスプレイ３００と、外部表示装置５００とに、その再生中の動画コンテンツが表示されている。
【００３９】
ユーザは、手元で携帯端末１０を操作しながら、外部表示装置５００の大画面で動画コンテンツを視聴することができる。
このように、本実施の形態の携帯端末１０は、外部表示装置５００が接続され、内蔵のディスプレイ３００だけでなく外部表示装置５００にも画像を表示する場合には、内蔵ディスプレイであるディスプレイ３００への表示用の画像データとは別に、外部表示装置５００の解像度に合わせた画像データを生成する。これにより、外部表示装置５００の解像度に合った画像を外部表示装置５００に表示させることができ、どちらのディスプレイにも、画像の質を劣化させずに表示させることができる。
＜２．実施の形態２＞
＜２．１  概要＞
実施の形態１では、外部表示装置５００が接続されると、外部表示装置５００用の画像データを、内部のディスプレイ３００用の画像データとは別に生成して、同時にそれぞれのディスプレイに表示する携帯端末１０について説明した。
【００４０】
本実施の形態２では、画像を表示し得るディスプレイが複数ある場合には、ユーザが、どのディスプレイに画像を表示させるかを選択（複数のディスプレイへの同時表示を含む）できる携帯端末について説明する。
なお、説明の便宜上、実施の形態１の携帯端末１０と同様の構成については、同じ符号を用いる。また、実施の形態１と同様の構成については、既に説明したので、ここでは説明を省略し異なる点を重点的に説明する。
【００４１】
＜２．２  構成＞
本実施の形態の携帯端末１０のハードウェア構成は、実施の形態１の携帯端末１０と同じである。
本実施の形態の携帯端末１０は、どのディスプレイに表示させるのかを設定するためのＵＩを表示部１０５に表示し、操作部１１２が、そのＵＩに対してのユーザからの操作を受け付ける点で実施の形態１の携帯端末１０と異なる。
【００４２】
そして、制御部１０１は、ユーザからの操作によって設定された画面表示の設定に基づいて、画面表示のための画像データを生成させる指示を生成部１０３に対して行う。
具体的には、制御部１０１は、ユーザが指定した画面表示の設定が、内部のディスプレイ３００、外部表示装置５００のどちらか一方のディスプレイに表示させる設定である場合には、その指定されたディスプレイの解像度に合わせた画像データを生成させ、両方のディスプレイに表示させる設定である場合には、ディスプレイ３００用の画像データと外部表示装置５００用の画像データとをそれぞれ生成させるように、生成部１０３に指示する。
【００４３】
図５にユーザに提示する画面表示の設定を行うためのＵＩ１０００の一例を示す。
ＵＩ１０００の設定画面には、携帯端末１０が画面表示し得るディスプレイのうち、どのディスプレイに表示するのかを選択するためのラジオボタンの選択メニュー１００１、設定を決定するためのＯＫボタン１００２、現在の設定を変更せずに設定画面を終了させるためのキャンセルボタン１００３を含む。
【００４４】
図５の例では、選択メニュー１００１には、「自動判別」、「両方に出力」、「内部出力のみ」、及び、「外部出力のみ」を択一的に選択するためのラジオボタンが配置されている。
「自動判別」とは、外部表示装置５００が携帯端末１０に接続されていることを検知部１０７が検知すると、内部のディスプレイ３００と外部表示装置５００との両方に表示させ、検知しない場合には、内部のディスプレイ３００に表示させる設定である。
【００４５】
この設定の場合、本実施の形態の携帯端末１０は、実施の形態１の携帯端末１０と同じ動作を行う。
「両方に出力」とは、検知部１０７が、外部表示装置５００の接続を検知するか否かにかかわらず、出力部１０４の内部出力用のI/F４０１と外部出力用のI/F４０２から画像データを出力させる設定である。
【００４６】
この設定の場合、制御部１０１は、内部のディスプレイ３００用の画像データと、外部出力用インターフェース１０６から出力するための画像データとの２つの画像データを生成部１０３に生成させる指示を行う。
「内部出力のみ」とは、検知部１０７が、外部表示装置５００の接続を検知するか否かにかかわらず、出力部１０４の内部出力用のI/F４０１からのみ画像を出力させる設定である。
【００４７】
この設定の場合、制御部１０１は、外部表示装置５００が接続されている場合であっても、内部のディスプレイ３００用の画像データのみを生成させる指示を生成部１０３に対して行う。従って、この設定の場合には、外部表示装置５００に画面表示ができる状態であっても、外部表示装置５００には画像は表示されず、ディスプレイ３００にのみ画像が表示される。
【００４８】
「外部出力のみ」とは、外部表示装置５００が接続されている場合に、出力部１０４の外部出力用のI/F４０２からのみ画像を出力させる設定である。
この設定の場合、制御部１０１は、外部出力用インターフェースに出力する画像データのみを生成させる指示を生成部１０３に対して行う。従って、この設定の場合には、内部のディスプレイ３００には、画像は表示されず、外部表示装置５００にのみ画像が表示される。
【００４９】
なお、この設定が選択された場合において、外部表示装置５００が接続されていることを検知部１０７が検知しない場合には、制御部１０１は、内部のディスプレイ３００用の画像データを生成する指示を生成部１０３に行い、出力部１０４は、生成された画像データを、外部出力用のI/F４０２ではなく、内部出力用のI/F４０１から出力させるようにする。これにより外部表示装置５００が接続されていない場合に、画面表示がなされないことを防ぐことができる。
【００５０】
＜２．３  動作＞
以下、本実施の形態の携帯端末１０の動作について図を用いて説明する。
図６は、本実施の形態の携帯端末１０の画面表示の際の処理のフローチャートである。
まず、検知部１０７は、コネクタ２１０に接続ケーブル４００が挿入され、外部表示装置５００と電気的に接続されたか否かを検知する（ステップＳ３１）。なお、ステップＳ３１の処理は、図３のステップＳ１１と同じ処理である。
【００５１】
検知部１０７が、外部表示装置５００の接続を検知しない場合（ステップＳ３１：ＮＯ）、制御部１０１は、生成部１０３にディスプレイ３００に表示するための第１画像データの生成を指示し、生成部１０３は、第１画像データを生成して出力部１０４に出力する。出力部１０４は、受け取った第１画像データを内部出力用のI/F４０１を介して表示部１０５に出力する。表示部１０５は、ディスプレイ３００に第１画像データを表示する（ステップＳ３４）。
【００５２】
一方、検知部１０７が、外部表示装置５００の接続を検知した場合（ステップＳ３１：ＹＥＳ）、制御部１０１は、ユーザによる画面表示の設定が、２画面出力モードであるか否か、すなわち、内部のディスプレイ３００と外部表示装置５００との両方に表示する設定であるか否を判定する。
具体的には、制御部１０１は、図５に示す「自動判別」、又は、「両方に出力」を選択した場合か否かを判定し、「自動判別」、又は、「両方に出力」を選択している場合に、２画面出力モードが選択されていると判断し、そうでなければ、２画面出力モードではないと判断する。
【００５３】
制御部１０１が、２画面出力モードでないと判断した場合（ステップＳ３２：ＮＯ）、制御部１０１は、更に、外部表示装置５００にのみ画像を表示するのかを判断する（ステップＳ３３）。
具体的には、図５に示す「外部出力のみ」を選択している場合に、外部表示装置５００にのみ画像を表示すると判断する。また、「内部出力のみ」を選択している場合には、外部表示装置５００には、表示しないと判断する。
【００５４】
制御部１０１が、外部表示装置５００に表示しないと判断した場合（ステップＳ３３：ＮＯ）、生成部１０３は、第１画像データの生成を行い、出力部１０４に出力する（ステップＳ３４）。
出力部１０４は、第１画像データをI/F４０１を介して表示部１０５に出力し、ディスプレイ３００にのみ画像を表示する（ステップＳ３５）。
【００５５】
一方、外部表示装置５００に画像を表示すると判断した場合（ステップＳ３３：ＹＥＳ）には、制御部１０１は、検知部１０７が外部表示装置５００から得たEDIDに含まれる解像度情報を、検知部１０７から取得する（ステップＳ３６）。
次に、制御部１０１は、EDIDから得られた解像度に合わせた第２画像データの生成を生成部１０３に指示する。
【００５６】
生成部１０３は、制御部１０１からの指示を受け、第２画像データを生成する（ステップＳ３７）。そして、生成部１０３は、生成した第２画像データを出力部１０４に出力する（ステップＳ３８）。
制御部１０１は、出力部１０４に、生成部１０３が生成した第２画像データを外部出力用のI/F４０２から出力するように指示し、出力部１０４は、生成部１０３から受け取った第２画像データをI/F４０２から外部出力用インターフェース１０６に出力する。そして、外部出力用インターフェース１０６は、受け取った第２画像データを外部表示装置５００に表示するための信号データ（例えば、MHLに準拠したデータフォーマット）に変換して、接続ケーブル４００を介して外部表示装置５００に出力する（ステップＳ３９）。
【００５７】
制御部１０１が、２画面出力モードと判断した場合（ステップＳ３２：ＹＥＳ）、生成部１０３は、まず第１画像データを生成する（ステップＳ４０）。
図６のステップＳ４０以降のステップＳ４１〜ステップＳ４７の処理の動作は、図３のステップＳ１３〜Ｓ１９の処理と同じである。
＜２．４  考察＞
本実施の形態の携帯端末１０では、画面表示し得る状態のディスプレイが複数ある場合には、ユーザが、複数のディスプレイに同時に表示する場合を含め、どのディスプレイに表示するかを選択できる。
【００５８】
従って、ユーザが、内部のディスプレイ３００と外部表示装置５００との両方に同時に画像を表示する必要がないと判断した場合には、一方だけに表示させることができる。
これにより、生成部１０３は、複数のディスプレイに表示し得る状態である場合であっても、１つのディスプレイのみに表示する場合には、不必要な画像データを生成することを抑制できるので、処理負荷を低減できる。
＜３．変形例＞
以上、本発明に係る携帯端末について、実施の形態に基づいて説明したが、以下のように変形することも可能であり、本発明は上述した実施の形態で示した通りの携帯端末に限られないことは勿論である。
【００５９】
（１）実施の形態１、２の生成部１０３は、単一の画像データを生成した場合は、生成した画像データをそのまま、出力部１０４に出力したが、生成部１０３出力部１０４へのデータの出力はこれに限らない。
出力部１０４が表示部１０５や外部出力用インターフェースに出力する画像データが得られれば、生成部１０３から出力部１０４へのデータはどのような形式のデータであってもよい。例えば、第１の画像データと第２の画像データとを生成する場合と同様に、単一の画像データを生成した場合であっても生成した画像データを圧縮したデータを出力するようにしてもよい。
【００６０】
これにより、生成部１０３から出力部１０４へ出力するデータ量を削減することができ、より速くデータを転送することができる。
（２）実施の形態１、２では、生成部１０３が生成する、ディスプレイ３００に表示するための画像データと、外部表示装置５００に表示するための画像データとの表示内容が同じである例で説明した。
【００６１】
しかし、生成する画像データの内容は、必ずしも同じでなくてよい。例えば、動画再生のためのアプリケーションを実行する場合には、その操作のためのＵＩ画面をディスプレイ３００に表示させるようにし、再生する動画コンテンツを外部表示装置５００に表示させるように、それぞれ異なる画像データを生成してもよい。
また、１つの画面の異なる部分を２つのディスプレイでそれぞれ表示するようにしてもよい。
【００６２】
（３）実施の形態１、２では、ディスプレイ３００と外部表示装置５００との両方に同時に表示する場合には、生成部１０３は、第１画像データと第２画像データを生成し、両画像データをまとめて圧縮した圧縮データを生成して出力部１０４に出力する例で説明した。
しかし、圧縮データの生成は、第１画像データと第２画像データとをまとめて圧縮することに限らない。生成部１０３は、出力部１０４が、それぞれのディスプレイの解像度に合った画像データが得られるようなデータを出力できれば、どのような圧縮データであってもよい。例えば、生成部１０３は、第１画像データと第２画像データとの差分データを算出し、第１画像データと算出した差分データとを圧縮した圧縮データを生成し、出力するようにしてもよい。そして、出力部１０４は、圧縮データを展開して得られる第１画像データと差分データとから、第２画像データを算出するようにしてもよい。なお、圧縮データを、第１画像データと差分データを用いて生成するのではなく、第２画像データと差分データを用いて生成してもよいことは言うまでもない。
【００６３】
差分データを用いることで、全体のデータ量の削減を図ることができ、生成部１０３から出力部１０４へのデータの転送量が削減し得る。
（４）実施の形態１、２では、ディスプレイ３００と外部表示装置５００との両方に同時に表示する場合には、生成部１０３は、第１画像データと第２画像データを生成し、両画像データをまとめて圧縮した圧縮データを生成して出力部１０４に出力する例で説明した。
【００６４】
しかし生成部１０３から出力するデータは、まとめて圧縮された画像データに限らない。出力部１０４が、表示部１０５及び外部出力用インターフェース１０６にそれぞれ出力する画像データが得られれば、生成部１０３からの画像データの出力はどのような形式であってもよい。例えば、第１画像データと第２画像データとを非圧縮でまとめた出力データであってもよいし、第１の画像データと第２の画像データとを交互に出力してもよい。
【００６５】
また、本実施の形態では、まとめて出力する処理には、同時刻に表示される第１の画像データと第２の画像データとの関連付けを行ったデータを別々に出力する場合も含む。
ただし、複数のディスプレイに同時に表示するためには、同時刻に表示すべき第１の画像データ及び第２の画像データは、ひとかたまりのデータとして出力するか、時間的に連続して出力することが望ましい。
【００６６】
（５）実施の形態１、２では、携帯端末１０に接続する外部表示装置５００は１つである場合の例で説明した。しかし、携帯端末１０に接続する外部表示装置は、１つに限らず、複数であってもよい。この場合、携帯端末１０は、複数の外部装置を接続できるコネクタを有しているものとする。例えば、複数のコネクタを有してもよく、また、１つコネクタであっても、複数の外部表示装置に接続できるように分岐した接続ケーブルに対応したコネクタを有していてもよい。そして、生成部１０３は、接続された外部表示装置が２以上の場合には、外部表示装置ごとの画像データを生成してもよい。
【００６７】
（６）実施の形態１、２では、外部出力用インターフェース１０６は、MHLの仕様に準拠した信号データを出力するとしたが、出力する信号データは、これに限らない。外部表示装置５００に携帯端末１０の出力する画像データが表示できる信号データが出力できれば、どのような出力であってもよい。例えば、外部出力用インターフェース１０６からの出力は、ＨＤＭＩ（High-Definition Multimedia Interface）形式やＤＶＩ（Digital Visual Interface）形式の信号データであってもよいし、アナログの信号であってもよい。
【００６８】
（７）実施の形態１、２において、検知部１０７が外部表示装置５００からEDIDを取得するとしてが、EDIDの取得は、VESA(Video Electronics Standards Association) DDC（Display Data Channel）の通信規格を用いた通信によって取得するとしてもよい。
（８）実施の形態において説明した携帯端末の各構成要素のうち、全部又は一部をその機能を実行する回路として実現されてもよいし、１又は複数のプロセッサによりプログラムを実行することで実現されてもよい。また、IC、LSIその他の集積回路のパッケージとして構成されるものとしてもよい。このパッケージは各種装置に組み込まれて利用に供され、これにより携帯端末は、実施の形態で示したような各機能を実現するようになる。
【００６９】
（９）実施の形態で示した携帯端末の機能を、携帯端末のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ICカード、ハードディスク、光ディスク、フレキシブルディスク、ROM、フラッシュメモリ等がある。流通、頒布された制御プログラムはプロセッサに読み出され得るメモリ等に格納されることにより利用に供され、そのプロセッサがその制御プログラムを実行することにより各実施形態で示したような各機能が実現されるようになる。なお、プロセッサは、制御プログラムを直接実行する他、コンパイルして実行或いはインタプリタにより実行してもよい。
【００７０】
（１０）本発明に係る携帯端末の制御方法を、コンピュータプログラムを用いてコンピュータにより実現してもよいし、前記コンピュータプログラムからなるデジタル信号として伝送してもよい。
また、本発明は、前記コンピュータプログラム又は前記デジタル信号をコンピュータ読み取り可能な記録媒体、例えば、フレキシブルディスク、ハードディスク、CD-ROM、MO、DVD、DVD-ROM、DVD-RAM、BD（Blu-ray（登録商標） Disc）、半導体メモリなどに記録したものとしてもよい。また、これらの記録媒体に記録されている前記コンピュータプログラム又は前記デジタル信号であるとしてもよい。
【００７１】
また、本発明に係るコンピュータプログラム又はデジタル信号を、電気通信回線、無線又は有線通信回線、インターネットを代表とするネットワーク、データ放送等を経由して伝送するものとしてもよい。
（１１）上記実施の形態及び上記変形例をそれぞれ適宜組み合わせるとしてもよい。
【産業上の利用可能性】
【００７２】
本発明に係る携帯端末は、内蔵のディスプレイと同時に、当該携帯端末に接続した外部表示装置にも画像を表示する場合に有用である。
【符号の説明】
【００７３】
１０  携帯端末
１０１  制御部
１０２  記憶部
１０３  生成部
１０４  出力部
１０５  表示部
１０６  外部出力用インターフェース
１０７  検知部
１１２  操作部
２１０  コネクタ
３００  ディスプレイ
４００  接続ケーブル
５００  外部表示装置
【図１】
2015226220.tif 000003
【図２】
2015226220.tif 000004
【図３】
2015226220.tif 000005
【図４】
2015226220.tif 000006
【図５】
2015226220.tif 000007
【図６】
2015226220.tif 000008